(57)【要約】【課題】本体ケースに配線用遮断器および漏電検出，引外し装置の構成部品を搭載した漏電遮断器を対象に、耐電圧試験を行う際に簡単な操作で漏電検出回路を主回路から切り離して安全に試験が行えるようする。【解決手段】過電流保護および地絡保護機能を備えた漏電遮断器で、主回路１を開閉する主接点２，開閉機構３，操作ハンドル，過電流引外し装置５，および漏電検出回路７を含む漏電引外し装置を本体ケースに搭載し、かつ漏電検出回路との間に配線した電源線９を介して主回路の相間電圧を漏電検出回路に給電するようにしたものにおいて、主接点の開閉動作に連動して漏電検出回路に接続した電源線の回路を入り，切りする耐電圧テスト用スイッチ２１を備えるものとし、該スイッチには例えば付属品の補助スイッチを用い、耐電圧試験の際に主接点の開極動作に連動して漏電検出回路を主回路から切り離すようにする。【選択図】      図１
2004199881.tif 000002
【特許請求の範囲】
【請求項１】
過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源として、主回路の相間電圧を漏電検出回路との間に配線した電源線を介して給電するようにしたものにおいて、
主接点のＯＮ，ＯＦＦ動作に連動して、漏電検出回路に接続した前記電源線の給電回路を入り，切りする耐電圧テスト用スイッチを備えたことを特徴とする漏電遮断器。
【請求項２】
請求項１に記載の漏電遮断器において、耐電圧テスト用スイッチとして、漏電遮断器の付属品である補助スイッチを用いたことを特徴とする漏電遮断器。
【請求項３】
過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源として、主回路の相間電圧を漏電検出回路との間に配線した電源線を介して給電するようにしたものにおいて、
漏電検出回路に接続した前記電源線の給電回路を入り，切りする手動操作式の耐電圧テスト用スイッチを本体ケースに内装した上で、該スイッチを主接点の開閉機構にインターロックし、耐電圧テスト用スイッチのＯＦＦ操作に連動して開閉機構をトリップ動作させ、主接点を開極するようにしたことを特徴とする漏電遮断器。
【請求項４】
請求項３に記載の漏電遮断器において、耐電圧テスト用スイッチに該スイッチのＯＮ，ＯＦＦ操作に従動するアクチュエータを設けた上で、該アクチュエータを開閉機構のトリップクロスバーに連係し、耐電圧テスト用スイッチのＯＦＦ操作により、トリップクロスバーをラッチ釈放位置に駆動して開閉機構をトリップさせるとともに、トリップクロスバーをラッチ釈放位置に拘束して主接点の投入を阻止し、耐電圧テスト用スイッチのＯＮ復帰操作でトリップクロスバーの拘束を解除するようにしたことを特徴とする漏電遮断器。
【請求項５】
請求項３に記載の漏電遮断器において、耐電圧テスト用スイッチに該スイッチのＯＮ，ＯＦＦ操作に従動するアクチュエータを設けた上で、該アクチュエータを開閉機構のトリップクロスバーに連係し、耐電圧テスト用スイッチのＯＦＦ操作によりトリップクロスバーをラッチ釈放位置に駆動して開閉機構をトリップさせ、ハンドルのリセット操作によりトリップクロスバーをラッチ鎖錠位置に駆動してラッチ機構をリセットさせる同時に、トリップクロスバーを介して耐電圧テストスイッチをＯＮに復帰させるようにしたことを特徴とする漏電遮断器。
【請求項６】
請求項４または５に記載の漏電遮断器において、耐電圧テスト用スイッチがスライドスイッチ，あるいはトグルスイッチスイッチであり、その操作ノブに連結した操作部材にアクチュエータを設けたことを特徴とする漏電遮断器。
【発明の詳細な説明】
【０００１】
【発明の属する技術分野】
本発明は、低電圧配電系統に適用する過電流保護および地絡保護機能を備えた漏電遮断器に関し、詳しくは漏電遮断器の耐電圧試験を行なう際に漏電検出回路を主回路から切り離す保護手段に係わる。
【０００２】
【従来の技術】
低電圧配電系統の保護機器として配線用遮断器，漏電遮断器が周知であり、国内に普及している漏電遮断器は過電流保護の機能と地絡保護機能を備えた構成のものが一般的である。また、最近の漏電遮断器では、需要家サイドでの使い勝手性を高めるために、同じフレームの配線用遮断器，漏電遮断器は同じ外形サイズの本体ケースとした上で、主要部品をできるだけ共用化するように構成したものが主流となっている（例えば、特許文献１参照。）。
また、配電設備の多様な保護システムにも柔軟に対応させるために、配線用遮断器，漏電遮断器には付属装置として補助スイッチ，警報スイッチ，電圧引外し装置，不足電圧引外し装置などの各種付属品を組合せたものが一般化されている（例えば、特許文献２参照）。
【０００３】
次に、従来における一般的な漏電遮断器（３相回路用）の回路図を図７に、またその構造を図８に示す。まず、図７において、１はＲ，Ｓ，Ｔ相の主回路、２は主接点、３は主接点２の開閉機構部、４は操作ハンドル、５は主回路に流れる過負荷電流，短絡電流を検出して開閉機構をトリップ動作させる熱動式，電磁式の過電流引外し装置である。
また、配電系統の地絡発生を検出して開閉機構をトリップ動作させる漏電引外し装置は、Ｒ，Ｓ，Ｔ相の主回路１を一次導体として主回路１の不平衡電流を検出する零相変流器６と、零相変流器６の二次出力レベルから地絡発生を検知する漏電検出回路（ＩＣを含む電子回路）７と、漏電検出回路７からの出力を受けて開閉機構をトリップさせるトリップコイルユニット８とからなる。また、漏電検出回路７はその制御電源として、主回路１との間に配線した電源線９，整流回路１０を介して主回路１の相間電圧を給電するようにしている。なお、図示例では主回路１のＲ−Ｔ相の相間電圧を漏電検出回路７に給電しているが、Ｒ，Ｓ，Ｔ相の各相電圧を直流に変換して給電する場合もある。
【０００４】
一方、図８において、１１は下部ケース１１ａと上部カバー１１ｂからなる二分割構造の本体ケース、１２，１３は電源側，負荷側の主回路端子（ねじ端子）、１４は主回路端子１２に連なる主接点の固定接触子、１５は可動接触子、１６は可動接触子１５を支持した回動式の接触子ホルダ、１７は消弧装置である。また、開閉機構部３は良く知られているように、前記の接触子ホルダ１６と操作ハンドル４との間を連繋するトグルリンク３ａ，開閉スプリング３ｂのトグルリンク機構，およびラッチ１８，ラッチ受け１９，トリップクロスバー２０を組合せたラッチ機構との組立体からなり、トリップクロスバー２０には前記した過電流引外し装置５，およびトリップコイルユニット８（図７参照）の操作端が対向している。なお、図示のラッチ機構は一例を示したもので、これ以外にも様々な構造のラッチ機構が知られている。
【０００５】
また、図８の図中には描かれてないが、本体ケース１１には下部ケース１１ａ、上部カバー１１ｂに相間隔壁が形成されており、この相間隔壁で本体ケース内に組付けた各相の部品の相互間が隔離されている。さらに、図７に示した漏電検出回路７はプリント板に実装し、本体ケース１１の内部に組付けた上で、主回路１との間に配線した電源線９を半田付け（あるいはねじ止め）して接続している。同様に、主回路１の各相に直列介装した過電流引外し装置５に対応するリード線、零相変流器６の二次出力側と漏電検出回路７の間，および漏電検出回路７とトリップコイルユニット８との間を接続するリード線も本体ケース１１の内部に配線されている。
【０００６】
上記の構成で、操作ハンドル４をＯＮ，ＯＦＦ位置に移動操作すると、操作ハンドル４に連動して開閉機構部３のトグルリンク機構が反転動作し、可動接触子１５が開閉動作する。また、主接点が閉極（ＯＮ）している図示の投入状態では、ラッチ１８がラッチ受け１９に係止され、ラッチ受け１９はこの位置でトリップクロスバー２０に支持されている。この状態から主回路に過負荷電流，短絡電流が流れて過電流引外し装置５が作動すると、トリップクロスバー２０が反時計方向に回動してラッチ受け１９とラッチ１８との係合を釈放する。これにより開閉機構部３がトリップ動作し、可動接触子１５が固定接触子１４から開離して主回路の電流を遮断する。同様に図７の主回路１に地絡電流が流れて漏電引外し装置のトリップコイルユニット８が作動すると、トリップクロスバー２０を釈放位置に駆動する。これにより開閉機構部３がトリップ動作し、可動接触子１５が開極して主回路１を断路する。なお、トリップ動作後に遮断器を再投入するには、トリップ位置に停止している操作ハンドル４をトリップ位置から一旦ＲＥＳＥＴ位置（ＯＦＦ位置を若干超えた位置）に戻してラッチ機構をリセットさせた上で、さらに操作ハンドル４をＯＦＦからＯＮ位置に移動することにより可動接触子１５が閉極する。
【０００７】
ところで、前記した漏電遮断器の製品については、安全性の面から所定の絶縁耐力を備えていることが規格で規定されており、そのために製品ごとに耐電圧試験を行って絶縁破壊が生じないことを確認するようにしている。この耐電圧試験は、規格で定めた試験方法にしたがって、主回路端子の相間に規定の試験電圧を印加して行なうようにしており、その試験電圧は漏電遮断器の定格電圧ごとに規定されており、例えば定格電圧３００〜６００Ｖの漏電遮断器での試験電圧は２５００Ｖである。
この耐電圧試験について、現在国内ではメーカーサイドで漏電遮断器を出荷する以前に試験を行なうようにしている。この場合に、漏電遮断器の製品組立状態で漏電検出回路（ＩＣ）を主回路に接続したまま相間に高い試験電圧を印加すると、漏電検出回路が高電圧で破壊してしまう。このために、耐圧試験を行なう場合は漏電検出回路の電源線を外した状態で実施していた。
【０００８】
一方、海外の欧米諸国などでは国内の漏電遮断器と異なり、配線用遮断器に別構造の漏電検出ユニット（零相変流器，漏電検出回路などを装備してユニット化したもの）を組合せて使用するのが一般的である。このことから、前記した耐電圧試験は、ユーザーサイドで配電設備の施工業者が配線用遮断器に漏電検出ユニットを組付けた状態で試験を行なうようにしている。そこで、この耐電圧試験に対応させるために、漏電検出ユニットに例えば押しボタン式の耐電圧テスト用スイッチを設け、耐電圧試験を行なう際には耐電圧テスト用スイッチを操作して漏電検出回路を主回路から切り離し、耐電圧試験の終了後に耐電圧テスト用スイッチを操作して漏電回路を主回路に接続して通常の使用状態に戻すようにしたものが知られている（例えば、特許文献３参照。）。
【０００９】
【特許文献１】
特許第３２４６５６２号明細書
【００１０】
【特許文献２】
特許第３０９７３６８号明細書
【００１１】
【特許文献３】
米国特許出願公開第２００１／００２２７１３Ａ１号明細書
【００１２】
【発明が解決しようとする課題】
ところで、前記した従来の漏電遮断器は、耐電圧試験との対応面で次記のような問題点がある。
(1) 図８のように配線用遮断器の構成部品と漏電検出回路を含む漏電引外し装置を一括して単一の本体ケースに組み込んだ漏電遮断器の製品について、メーカーから海外への輸出などで出荷した後に、ユーザーサイドで耐電圧試験を実施しようとする場合には、本体ケースのカバーを外した上で、漏電検出回路と主回路との間に配線されている電源線のはんだ付け部，あるいはねじ止め部を一旦外して漏電検出回路を主回路から切り離す必要があり、試験の準備作業に大きな手間がかかる。
【００１３】
(2) また、前記の特許文献３に開示されている漏電検知デバイスの構成では、耐電圧試験の実施に際して漏電検出ユニットに備えた耐電圧テスト用スイッチ（dielectric test switch) をＯＦＦ操作すると、漏電検出回路が主回路から切り離されると同時に、配線用遮断器（circuit breaker)がトリップ動作して主接点が開極する。これにより、漏電検出回路を主回路から切り離して耐電圧試験を安全に行なうことができる。
しかしながら、その耐電圧テスト用スイッチは配線用遮断器の開閉動作とは連動していなく、ＯＮ復帰は当該スイッチのボタン操作により単独で行なうようにしており、耐電圧試験終了後は耐電圧テスト用スイッチをＯＮに戻してない状態でも、配線用遮断器のハンドル操作により主接点を投入させることが可能である。このために、耐電圧試験後に耐電圧テスト用スイッチをＯＮに復帰操作するのを忘れ、配線用遮断器の操作ハンドルで主接点を投入して配線用遮断器を使用状態に戻すおそれがある。しかも、耐電圧試験の終了後に耐電圧テスト用スイッチの入れ忘れがあると、漏電検出回路が主回路から切り離されたままとなるので、その後の使用状態で配電線路に地絡が発生した場合に漏電保護機能が働かなくなるといった事態が生じる。
【００１４】
本発明は上記の点に鑑みなされたものであり、図８のように単一の本体ケースに配線用遮断器の構成部品と漏電検出，引外し装置の構成部品を一括して組み込んだ構成の漏電遮断器を対象に、製品の出荷後にユーザーサイドで耐電圧試験を実施する場合でも、簡単な操作で漏電検出回路を主回路から切り離して耐電圧試験が安全に行なえるように改良した漏電遮断器を提供することを目的とする。
【００１５】
【課題を解決するための手段】
上記目的を達成するために、本発明によれば、過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源として、主回路の相間電圧を漏電検出回路との間に配線した電源線を介して給電するようにしたものにおいて、
第１の発明では、主接点のＯＮ，ＯＦＦ動作に連動して、漏電検出回路に接続した前記電源線の給電回路を入り，切りする耐電圧テスト用スイッチを備える（請求項１）ものとし、その実施態様として、耐電圧テスト用スイッチに、漏電遮断器の付属品である補助スイッチを用いる（請求項２）ことができる。
【００１６】
上記の構成において、耐電圧試験の実施に際して操作ハンドルで主接点を開極すると、同時に耐電圧テスト用スイッチの自動的にＯＦＦとなって主回路から漏電検出回路に通じる電源線の給電回路を断路する。したがって、耐電圧試験に際して遮断器のカバーを外して漏電検出回路の内部配線のはんだ付け箇所を外すといった手間の掛かる準備作業が必要なく、主回路の相間に印加する高い試験電圧から漏電検出回路を安全に切り離して耐電圧試験を安全に行なうことができる。また、耐電圧試験の終了後にハンドル操作で主接点を閉極すると、同時に耐電圧テスト用スイッチがＯＮに復帰して漏電検出回路の給電回路が通電状態に戻る。
【００１７】
また、この場合に前記の耐電圧テスト用スイッチとして、漏電遮断器の付属装置品である補助スイッチ（補助スイッチの本来の機能は、遮断器の主接点の開閉状態を電気信号で外部に取り出すためのスイッチ）を用いて補助スイッチを主回路と漏電検出回路との間に電源線に接続すれば、漏電遮断器に大きな変更を加えることなしに耐電圧試験に対応させることができる。
一方、第２の発明では、漏電検出回路に接続した前記電源線の給電回路を入り，切りする手動操作式の耐電圧テスト用スイッチを本体ケースに内装した上で、該スイッチを主接点の開閉機構にインターロックし、耐電圧テスト用スイッチのＯＦＦ操作に連動して開閉機構をトリップ動作させ、主接点を開極するように構成する（請求項３）ものとし、その具体的な実施態様として次記のように構成することができる。
【００１８】
(1) 耐電圧テスト用スイッチに該スイッチのＯＮ，ＯＦＦ操作に従動するアクチュエータを設けた上で、該アクチュエータを開閉機構のトリップクロスバーに連係し、耐電圧テスト用スイッチのＯＦＦ操作により、トリップクロスバーをラッチ釈放位置に駆動して開閉機構をトリップさせるとともに、トリップクロスバーをラッチ釈放位置に拘束して主接点の投入を阻止し、耐電圧テスト用スイッチのＯＮ復帰操作でトリップクロスバーの拘束を解除するように構成する（請求項４）。
（2）耐圧テスト用スイッチに該スイッチのＯＮ，ＯＦＦ操作に従動するアクチュエータを設けた上で、該アクチュエータを開閉機構のトリップクロスバーに連係し、耐電圧テスト用スイッチのＯＦＦ操作によりトリップクロスバーをラッチ釈放位置に駆動して開閉機構をトリップさせ、ハンドルのリセット操作によりトリップクロスバーをラッチ鎖錠位置に駆動してラッチ機構をリセットさせる同時に、トリップクロスバーを介して耐電圧テストスイッチをＯＮに復帰させるように構成する(請求項５)。
【００１９】
(3) 前項(1),(2) において、耐電圧テスト用スイッチにスライドスイッチ，あるいはトグルスイッチを用い、その操作ノブに連結した操作部材にアクチュエータを設けてトリップクロスバーに連係させる（請求項６）。
上記の構成において、耐電圧試験の際に耐電圧テスト用スイッチをＯＦＦ操作すると、漏電検出回路が主回路から切り離されるとともに、このスイッチ操作に連動して開閉機構がトリップ動作し、主接点が開極する。これにより、耐電圧試験の準備が整い、漏電検出回路を主回路から切り離した状態で耐電圧試験を安全に行なうことができる。
【００２０】
しかも、耐電圧テスト用スイッチのＯＦＦ状態では、トリップクロスバーがラッチ釈放位置に拘束保持される。これにより、耐電圧テスト用スイッチをＯＮに復帰操作せずに、操作ハンドルをＯＮ位置に移動して主接点を再投入しようとしても、ラッチ機構がリセットされなので主接点を閉極することができず、これにより、試験の終了後に耐電圧テスト用スイッチを入れ忘れて漏電検出回路を主回路から切り離したまま、主接点を閉極して漏電遮断器を使用状態に戻すようなことを回避できる。
また、操作ハンドルのリセット操作によりトリップクロスバーを戻してラッチ機構をリセットさせる同時に、トリップクロスバーを介して耐電圧テストスイッチをＯＮに復帰させるようにインターロックして構成することにより、前記と同様に試験の終了後に耐電圧テスト用スイッチの入れ忘れを防止できる。
【００２１】
【発明の実施の形態】
以下、本発明の実施の形態を図１〜図６に示す実施例に基づいて説明する。なお、実施例の図中において図７，図８に対応する部材には同じ符号を付してその詳細な説明は省略する。
〔実施例１〕
図１〜図３は本発明の請求項１，２に対応する実施例の構成図である。この実施例の漏電遮断器は図７，図８に示した従来構成と基本的に同じであるが、図１の回路図で示すように、主回路１との間に電源線９を配線した漏電検出回路７の給電回路に対して、該回路に新たに耐電圧テスト用スイッチ２１が介装されている。この耐電圧テスト用スイッチ２１は、主接点２の開閉動作に連動して前記給電回路を入り，切りするように動作するスイッチであり、この実施例においては、後記のように漏電遮断器の付属品として本体ケース１１に搭載した補助スイッチが採用されている。また、図示実施例では主回路１と漏電検出回路７との間にＲ，Ｓ，Ｔ相の各相に対応する３本の電源線９を配線し、３相電源を直流に変換（３相ブリッジ整流回路１０を用いる）して漏電検出回路７に給電するようにしており、この電源線９の配線に合わせて前記耐電圧テスト用スイッチ２１が三つの接点（三個のマイクロスイッチ）を備えている。
【００２２】
なお、図１では耐電圧テスト用スイッチ２１がＲ，Ｓ，Ｔ相の各電源線９に対応して三つの接点を備えているが、３相のうちの２相分に相応した二つの接点を備えて実施することもできる。また、図７で示すように主回路１と漏電検出回路７との間に２本の電源線９を配線してＲ−Ｔ相の相間電圧を給電する２相電源の場合には、耐電圧テスト用スイッチ２１の接点を二つ，あるいはＲ，Ｔいずれかの相に接点を一つ備えるものとする。
図２は、前記の耐電圧テスト用スイッチ２１として、漏電遮断器の付属品である補助スイッチを採用した漏電遮断器の構成図（上部カバーは外してある）であり、補助スイッチ２２は操作ハンドル４の側方に並べて本体ケースの付属品収納部に外部から挿脱可能に組み込まれている（特許文献２参照）。ここで、補助スイッチ２２は、図１の耐電圧テスト用スイッチ２１に対応して３個のマイクロスイッチを備えており、そのマイクロスイッチが次記のように主接点の開閉動作に合わせてＯＮ，ＯＦＦ動作する。
【００２３】
次に、前記した補助スイッチ２２（耐電圧テスト用スイッチ２１）の開閉機構および動作を図３(a),(b) で説明する。図３において、補助スイッチ２２はその操作端と可動接触子１５の接触子ホルダ１６との間をインターロックするように支軸２３ａを揺動支点としたレバー式のアクチュエータ２３を備えており、このアクチュエータ２３の先端が接触子ホルダ１６に対峙している。
ここで、図３(a) は可動接触子１５の接点１５ａが固定接触子１４の接点１４ａに接触している主接点１（図１参照）の閉極状態を表している。この状態では、前記アクチュエータ２３は接触子ホルダ１６から離間していて、補助スイッチ２２の各マイクロスイッチはＯＮとなって図１に示した漏電検出回路７の電源回路を導通状態に保っている。
【００２４】
この状態から、耐電圧試験の実施に際して主接点を開極するために、操作ハンドル４をＯＮからＯＦＦの位置に移動すると、図７で説明したように開閉機構部３のトグルリンク機構が反転動作して可動接触子１５が開極するとともに、この動作に連動して接触子ホルダ１６の後端がアクチュエータ２３を押す。これにより、アクチュエータ２３は反時計方向に回動して補助スイッチ２３から離脱し、これに応動して補助スイッチの各マイクロスイッチがＯＦＦとなる。つまり、図１における耐電圧テスト用スイッチ２１が開いて、漏電検出回路７と主回路１との間の電源回路が断路される。したがって、この状態で耐電圧試験を行なえば、漏電検出回路７を試験電圧から保護できる。
【００２５】
なお、試験の終了後に操作ハンドル４を図３(a) のＯＮ位置に戻して主接点を閉極すると、接触子ホルダ１６が反時計方向に回動してアクチュエータ２３から離脱し、これにより補助スイッチ２３は自動的にＯＮに切り換わって漏電検出回路７が主回路１から給電を受ける定常状態に復帰する。
この実施例によれば、耐電圧テスト用スイッチ２１として付属スイッチ２２を用いたので、漏電遮断器を大幅に変更するこしとなしに簡単な構成で実施することができる。なお、図２の構成では補助スイッチ２２を本体ケース１１の付属品収納部に収納するようにしているが、補助スイッチの設置場所は図示例に限定されるものではなく、トリップクロスバーの近傍であれば、本体ケースの外部側に設置するようにしてもよい。
【００２６】
〔実施例２〕
次に、本発明の請求項３〜５に対応する実施例の構成，動作を図４〜図７で説明する。
この実施例は、図１における耐電圧テスト用スイッチ２１について、その機能をさらに発展させたものである。すなわち、この実施例では耐電圧テスト用スイッチ２１を手動操作式スイッチとした上で、このスイッチを後記のように開閉機構３のトリップクロスバーに連係させる。そして、耐電圧試験の際に耐電圧テスト用スイッチ２１を手動でＯＦＦ操作し、主回路１と漏電検出回路７との間に配線した電源線９の給電回路を断路すると、これに連動して開閉機構部３がトリップして主接点１が開極し、これで耐電圧試験の準備が整う。また、耐電圧試験の終了後に漏電遮断器を通常の使用状態に戻す場合には、耐電圧テスト用スイッチ２１をＯＮ位置に復帰操作するか、あるいは操作ハンドル４をＲＥＳＥＴ位置に移動操作しない限り、ラッチ機構をリセットできないようにして主接点の投入を阻止し、耐電圧テスト用スイッチ２１の入れ忘れを防ぐようにしている。
【００２７】
このために、図４で示すように、前記した手動操作式の耐電圧テスト用スイッチ２１が操作ハンドル４の側方に並べて開閉機構のトリップクロスバー２０の上方位置に装着されている。また、本体ケースの上部カバー１１ｂには、耐電圧テスト用スイッチ２１を外部からＯＮ，ＯＦＦ操作できるようにするために、スライド式の小カバー１１ｂ-1を備えている。
次に、耐電圧テスト用スイッチ２１の具体的な組立構造を図５(a),(b) に示す。すなわち、耐電圧テスト用スイッチ２１は、その接点数に対応した数のスライドスイッチ２４と、このスライドスイッチ２４を左右に並べて収容する皿形のスイッチケース２５と、該スイッチケース２５の上に被せてスライドスイッチ２４の操作ノブ２４ａに係合し、各スライドスイッチ２４を一括してＯＮ，ＯＦＦ操作するスライド式のスイッチカバー２６との組立体からなり、かつスイッチカバー２６には下方に延在する脚片状のアクチュエータ２６ａが一体形成されている。なお、図示例では３相の漏電遮断器用として２個のスライドスイッチ２４を備えているが、単相漏電遮断器ではスライドスイッチ２４を１個とする。
【００２８】
そして、この耐電圧テスト用スイッチ２１を図４で示す位置に組付けると、この位置で前記のアクチュエータ２６ａの先端が開閉機構のトリップクロスバー状態に対峙し、図６(a),(b) で示すようにアクチュエータ２６ａとトリップクロスバー２０との間がインターロックされる。
図６(a) は図５に示した耐電圧テスト用スイッチ２１について、そのスイッチカバー２６を右方向にスライド操作してスライドスイッチ２４をＯＮ位置に保持し、かつ操作ハンドル４をＯＮ位置にセットして可動接触子１５を閉極した定常の主回路通電状態を表しており、図１における耐電圧テスト用スイッチ２１の接点が閉じて主回路１から電源線９を介して漏電検出回路７に給電している状態に対応している。また、この状態では、図６(a) のようにトリップクロスバー２０はアクチュエータ２６ａの拘束を受けずに開閉機構３のラッチ１８を係止保持している。
【００２９】
この状態から、耐電圧試験を行なうには、外部からの操作で耐電圧テスト用スイッチ２１のスイッチカバー２６をＯＦＦ位置にスライドする。これにより、スライドスイッチ２４の接点がＯＦＦとなって図１に示した漏電検出回路７の電源回路を断路して主回路１から切り離すと同時に、図６(b) で表すようにスイッチカバー２６に設けたアクチュエータ２６ａがトリップクロスバー２０を背後から押し、その支軸２０ａの回りで反時計方向に回動させる。これにより、いままでトリップクロスバー２０に係止保持されていたラッチ１８が釈放されて開閉機構部３がトリップ動作し、可動接触子１５が開極して主接点２がＯＦＦとなる。そして、この状態で耐電圧試験を行なえば、漏電検出回路７が主回路１から切り離されていて主回路１の相間に印加する高い試験電圧から安全に保護できる。
【００３０】
また、耐電圧テスト用スイッチ２１をＯＦＦ位置にスライド操作した図６(b) の状態では、該スイッチのアクチュエータ２６ａに押されたトリップクロスバー２０がラッチ１８の釈放位置に保持されている。したがって、耐電圧試験の終了後は、耐電圧テスト用スイッチ２１を元のＯＮ位置に戻さない限りは、操作ハンドル４をトリップ位置からＲＥＳＥＴ位置に移動操作してもラッチ機構部がリセットされないので、主接点１を再投入することができない。これにより、耐電圧テスト用スイッチ２１の入れ忘れが原因で漏電遮断器の地絡検出，漏電保護機能が働かなくなるといった事態を未然に防止できる。
【００３１】
なお、開閉機構部３のトリップクロスバー２０は比較的弱い復帰ばね（図示せず）のばね力でラッチ１８との係合位置（リセット位置）に向けて時計方向に付勢されている。そこで、図４に示したスライドスイッチ２４のＯＮ，ＯＦＦ位置における機械的な保持力をトリップクロスバー２０の復帰ばね力よりも強くしておくように設定しておけば、耐電圧テスト用スイッチ２１を図６(b) のようにＯＦＦ位置にスライド操作した状態では、トリップクロスバー２０が復帰ばねに抗してラッチ釈放位置に保持される。したがって、耐電圧試験の終了後に、耐電圧テスト用スイッチ２１をＯＦＦからＯＮ位置に戻さない限りはトリップクロスバー２０が復帰しないので、操作ハンドル４をＴＲＩＰ位置からりリセット操作してもラッチ１８がリセットされることがなく、これにより主回路接点を投入することができない。これにより、耐電圧試験の終了後に漏電遮断器を通電状態に戻す際に、耐電圧テスト用スイッチ２１の戻し忘れミスを防止できる。
【００３２】
また、前記実施例のように耐電圧テスト用スイッチ２１のＯＮ，ＯＦＦ保持力をトリップクロスバー２０の復帰ばね力よりも強く設定する以外に、次記のようなインターロック機構で実施することもできる。すなわち、耐電圧テスト用スイッチ２１をＯＦＦ位置に移動操作すると、該スイッチをこのＯＦＦ位置に拘束保持し、耐電圧試験の終了後に操作ハンドル４をＴＲＩＰ位置からＲＥＳＥＴ位置に移動操作すると、これに連動してトリップクロスバー２０をリセット位置に戻すと同時に、トリップクロスバー２０の復帰ばね力で耐電圧テスト用スイッチ２１をＯＮ位置に復帰させるようにインターロックしておけば、前記実施例と同様に耐電圧試験の終了後に漏電遮断器を通電状態に戻す際に、耐電圧テスト用スイッチ２１の入れ忘れミスを防止できる。
【００３３】
なお、図示実施例では、耐電圧テスト用スイッチ２１にスライドスイッチ２４を採用しているが、これに限定されるものではなく、例えばトグルスイッチを採用して実施することもできる。
【００３４】
【発明の効果】
以上述べたように、本発明によれば、過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源として、主回路の相間電圧を漏電検出回路との間に配線した電源線を介して給電するようにしたものにおいて、
第１の発明では、主接点のＯＮ，ＯＦＦ動作に連動して、漏電検出回路に接続した前記電源線の給電回路を入り，切りする耐電圧テスト用スイッチを備える。また第２の発明では、漏電検出回路に接続した前記電源線の給電回路を入り，切りする手動操作式の耐電圧テスト用スイッチを本体ケースに内装した上で、該スイッチを主接点の開閉機構にインターロックし、耐電圧テスト用スイッチのＯＦＦ操作に連動して開閉機構をトリップ動作させ、主接点を開極するように構成したことにより、
漏電遮断器の製品について耐電圧試験を行なう際には、従来のように遮断器の本体ケースを開いて漏電検出回路の電源線を主回路から切り離すといった面倒な準備作業が必要なく、操作ハンドルで主接点をＯＦＦする、あるいは本体ケースに内装した手動操作式の耐電圧テスト用スイッチをＯＦＦするだけで、漏電検出回路を主回路から切り離して安全に耐電圧試験を実施することができる。
【００３５】
これにより、メーカーから出荷した漏電遮断器の製品について、現在諸外国で行われているようにユーザーサイドで耐電圧試験を実施する場合でも簡単操作で試験を安全に行なうことができる。しかも、耐電圧試験の終了後に漏電遮断器を通常の使用状態に戻す場合に、第１の発明では操作ハンドルで主接点を投入することで、これに連動して耐電圧テスト用スイッチが自動的にＯＮ位置復帰する。
また第２の発明では、手動操作式の耐電圧テスト用スイッチをＯＦＦからＯＮに復帰操作する，あるいは操作ハンドルをリセット操作ない限りは主接点を投入できない。
【００３６】
これにより、耐電圧試験後に漏電遮断器を通常の使用状態に戻す場合に、耐電圧テスト用スイッチの入れ忘れミスが原因で、主回路の通電状態で漏電遮断器の地絡検出，漏電保護が機能しなくなるといった異常な事態を未然に防ぐことができる。
【図面の簡単な説明】
【図１】本発明の実施例による漏電遮断器の回路図
【図２】図１における耐電圧テスト用スイッチとして補助スイッチを採用した本発明の実施例１に対応する漏電遮断器の内部を表す構成斜視図
【図３】図２における補助スイッチの動作説明図で、(a),(b) はそれぞれ主接点のＯＮ，およびＯＦＦに対応した動作状態を表す図
【図４】図１における耐電圧テスト用スイッチとして手動操作式スイッチを採用した本発明の実施例２に対応する漏電遮断器の構成斜視図
【図５】図４における耐電圧テスト用スイッチの組立構造図で、(a) は組立状態の斜視図、(b) は(a) の分解斜視図
【図６】図５の耐電圧テスト用スイッチと遮断器本体の開閉機構部との連係構造，および開閉動作の説明図で、(a),(b) はそれぞれ耐電圧テスト用スイッチのＯＮ，ＯＦＦに対応した動作状態を表す図
【図７】本発明の実施対象となる漏電遮断器の従来回路図
【図８】図７に対応する漏電遮断器の構成断面図
【符号の説明】
１    主回路
２    主接点
３    開閉機構部
４    操作ハンドル
５    過電流引外し装置
６    零相変流器
７    漏電検出回路
８    漏電引外し用のトリップコイルユニット
９    電源線
１１    本体ケース
１１ａ  下部ケース
１１ｂ  上部カバー
１４    固定接触子
１５    可動接触子
１６    接触子ホルダ
１８    開閉機構のラッチ
２０    トリップクロスバー
２１    耐電圧テスト用スイッチ
２２    補助スイッチ（漏電遮断器の付属品）
２４    スライドスイッチ
２６    スイッチカバー
２６ａ  アクチュエータ
【図１】
2004199881.tif 000003
【図２】
2004199881.tif 000004
【図３】
2004199881.tif 000005
【図４】
2004199881.tif 000006
【図５】
2004199881.tif 000007
【図６】
2004199881.tif 000008
【図７】
2004199881.tif 000009
【図８】
2004199881.tif 000010